(57)【要約】【課題】施工コストを過大にすることなく、高潮、津波、豪雨、その他の水位上昇による浸水時のみに自動的に防潮機能を発揮することのできる防潮板の起立構造を提供すること【解決手段】本願発明に係る防潮板の起立構造は、防潮板の一端側にフロートを設け且つ他端側には錘を設け、防潮板の下面には、静置状態で力のモーメントが略釣り合う位置に腕部を設け、前記腕部の開放端は、防潮板を回転可能に軸支し、防潮板の下方には、前記フロートを収納しつつ内部に水が流入可能な第１の凹部、及び前記防潮板の回転を所定の位置で遮る第２の凹部を設け、前記第１の凹部への浸水時にフロートが浮上することにより、防潮板の重心を前記錘側に偏心させて該防潮板が自ら回転起立するように構成する。【選択図】図１
2011122375.tif 000002
【特許請求の範囲】
【請求項１】
防潮板の起立構造であって、
防潮板の一端側にフロートを設け且つ他端側には錘を設け、
防潮板の下面には、静置状態で力のモーメントが略釣り合う位置に腕部を設け、
前記腕部の開放端は、防潮板を回転可能に軸支し、
防潮板の下方には、前記フロートを収納しつつ内部に水が流入可能な第１の凹部、及び前記防潮板の回転を所定の位置で遮る第２の凹部を設け、
前記第１の凹部への浸水時にフロートが浮上することにより、防潮板の重心を前記錘側に偏心させて該防潮板が自ら回転起立するように構成した、
防潮板の起立構造。
【請求項２】
前記防潮板の他端側と地表との境界部分と、倒伏時における防潮板の重心位置とを跨ぐように、前記防潮板の上面に踏板を配置してなる、請求項１に記載の防潮板の起立構造。
【発明の詳細な説明】
【技術分野】
【０００１】
本発明は陸上構造物への浸水被害を防止するための防潮板の起立構造に関し、より詳しくは、通常時には防潮板を倒伏しておき、浸水時に防潮板が自動で起立可能な防潮板の起立構造に関する。
【背景技術】
【０００２】
津波、高潮、豪雨、その他の水位上昇による陸上施設への浸水被害を防止すべく、種々の防潮堤が開発されている。
防潮堤が恒久的に設置される構造物である場合、見通しや風通しが悪くなり周辺の景観や環境に影響を与える懸念が生じることから、浸水が予測される時にのみ防潮機能を達成することが可能な防潮堤の提供が望まれている。
【０００３】
浸水時のみに防潮機能を発揮する防潮堤として、例えば跳ね上げ式の浸水防止装置がある。
【発明の概要】
【発明が解決しようとする課題】
【０００４】
しかし、従来の防潮堤では、以下の様な問題が生じる。
（１）跳ね上げ式の防潮堤では、数十ｃｍ程度の壁体を構築するに留まるため、数ｍ規模の浸水には対応できない。
（２）高さが数ｍ程度の壁体を備える跳ね上げ式の防潮堤を構築するには、出力の大きい駆動装置を使用する必要が生じるため、設備自体が大がかりとなり、施工コストが高くなってしまう。
【０００５】
したがって、本願発明の目的は、施工コストを過大にすることなく、浸水時のみに自動的に防潮機能を発揮することのできる防潮板の起立構造の提供を目的とするものである。
【課題を解決するための手段】
【０００６】
そこで、本願発明は、防潮板の起立構造であって、防潮板の一端側にフロートを設け且つ他端側には錘を設け、防潮板の下面には、静置状態で力のモーメントが略釣り合う位置に腕部を設け、前記腕部の開放端は、防潮板を回転可能に軸支し、防潮板の下方には、前記フロートを収納しつつ内部に水が流入可能な第１の凹部、及び前記防潮板の回転を所定の位置で遮る第２の凹部を設け、前記第１の凹部への浸水時にフロートが浮上することにより、防潮板の重心を前記錘側に偏心させて該防潮板が自ら回転起立するように構成した、防潮板の起立構造をその要旨とするものである。
また、前記発明において防潮板の他端側と地表との境界部分と、倒伏時における防潮板の重心位置とを跨ぐように、前記防潮板の上面に踏板を配置するよう構成することができる。
【発明の効果】
【０００７】
本願発明によれば、以下の効果のうち、少なくとも何れか一つを得ることができる。
（１）浸水時に防潮板が自動的に起立するため、外的な動力が不要である。
（２）防潮機能の発揮タイミングに人的な判断が不要である。
【図面の簡単な説明】
【０００８】
【図１】本発明の防潮板が倒伏した状態を示す斜視図。
【図２】本発明の防潮板への浸水初期状態を示す側面図。
【図３】本発明の防潮板が起立した状態を示す側面図。
【発明を実施するための形態】
【０００９】
各図面を参照しながら、本発明の防潮板の起立構造について説明する。
【実施例】
【００１０】
＜１＞全体構成
図１は、本発明の防潮板が倒伏した状態を示す斜視図である。
本発明に係る防潮板の起立構造は、回転可能に構成した防潮板１と、前記防潮板１に発生する回転モーメントを制御するためのフロート２及び錘４と、該フロート２又は錘４を収容する第１の凹部又は第２の凹部とを少なくとも含んで構成する。
【００１１】
＜２＞防潮板
防潮板１は、起立時にその前面側で津波や高潮を受け止め、背面側への浸水を防止するための略平板状の部材である。
防潮板１は、通常時には倒伏した状態で陸地と同じ高さとなるように地上に格納しておくことで、陸域の利用や景観への影響を最小限としておくことが望ましい。
【００１２】
＜３＞フロート
フロート２は、浸水時に発生する浮力を用いて防潮板１の重心を偏心させるための部材である。
フロート２は、一般的な浮き部材を用いることができ、起立時における防潮板１の上端側であって且つ浸水の受圧面側に設けておく。
【００１３】
＜４＞第１の凹部
第１の凹部３は、防潮板１の倒伏時に、前記フロート２を格納しておくとともに、浸水を流入させて前記フロート２に浮力を発生させるために防潮板１の下方に設ける。
第１の凹部３は、地表を穿孔して設けても良いし、地上に別途設置した基台を切り欠いて設けても良い。
【００１４】
＜５＞錘
錘４は、防潮板１を起立させる方向への回転モーメントを生じさせる為の部材である。
錘４は、金属その他の周知の材料からなる重量体を用いることができ、起立時における防潮板１の下端側に別部材として設けてもよいし、防潮板１の下端側を別材質とすることによって構成してもよい。
【００１５】
＜６＞第２の凹部
第２の凹部５は、防潮板１の倒伏時に前記錘４を格納しておき、防潮板１が起立する方向へと回転する際に、防潮板１の下端側及び錘を収納するとともに、該防潮板１及び錘４を所定の位置に位置決めするために防潮板１の下方に設ける。
第２の凹部５は、腕部１１を略９０度回転可能とする段差を設けておくとともに、当該段差の段差面５１に錘が当接した状態で防潮板が略鉛直に起立するように構成する。
第２の凹部５は、地表を穿孔して設けても良いし、地上に別途設置した基台を切り欠いて設けても良い。
【００１６】
＜７＞腕部
腕部１１は防潮板１を回転させるための部材である。
腕部１１は防潮板１の倒伏時における該防潮板１の下面に設け、腕部１１の解放端には回転軸１２を設けて前記第２の凹部５内に配して、防潮板１を回転可能に軸支する。
腕部１１の設置位置は、防潮板１の倒伏時において、フロート２と錘４とを備えた防潮板１の回転モーメントが略釣り合う位置であり、図２における時計回りの方向に小さな回転モーメントが働く位置（重心がフロート側にやや偏心した状態）であることが望ましい。
【００１７】
＜８＞踏板
踏板６は、防潮板１の倒伏時において、防潮板１の上面に荷重が発生した際に防潮板１が起立する方向へと回転することを防止するための部材である。
踏板６は、防潮板１の錘側端部と地表との境界と、倒伏時における防潮板の重心位置との２点を跨ぐように配置しておくことで、踏板の上面に荷重が発生した場合においても、防潮板１の重心を錘側に偏心させることが無いため、図２における半時計回りの回転モーメントが発生せず、防潮板１の起立を抑制することができる。
【００１８】
＜９＞使用方法
以下、図１乃至３を参照しながら本発明に係る防潮板の動作について説明する。
【００１９】
（１）通常時（図１）
津波・高潮などによる浸水の危険性が無い場合には、防潮板１に係る重心はフロート２側にやや偏心させた状態であるから、防潮板１全体は倒伏した状態となる。このような状態では、防潮板１によって見通しや風通しが妨げられることはない。
【００２０】
（２）浸水時（図２）
浸水Ａが発生した初期状態の作用について図２を参照しながら説明する。
津波・高潮などによる浸水が発生した場合には、まず第１の凹部３へと浸水Ａが流入する。
前記第１の凹部３へと流入した浸水によってフロート２は浮力を受ける。
フロート２が浮力を受けることにより、防潮板１全体の重心の位置が錘４側へと偏心し、図２において、回転軸１２を中心とした反時計回りの方向への回転モーメントが発生する。
防潮板１は前記回転モーメントにより反時計回りに回転し、防潮板１の他端側及び錘４は第２の凹部５内に収納されるとともに、錘４が第２の凹部５内の段差面５１に当接することで所定の位置に位置決めされる。
以上の動作によって、防潮板が起立し遮水機能を発揮することができる
【００２１】
（３）受圧時（図３）
浸水Ａがより進んだ場合の作用について図３を参照しながら説明する。
防潮板が起立すると、第２の凹部５は、防潮板１及び錘４によって、防潮板１の前面側の空間５２と背面側の空間５３とに分断されることとなる。
浸水Ａがより進んだ場合には、浸水Ａは前記防潮板１の前面側の空間５２に流入する。
前記空間５２に流入した浸水Ａによって防潮板１が水圧を受けると、防潮板１は反時計回りへと回転する力が発生し、錘４は前記段差面５１により強く当接することとなり、より強固な止水構造を呈することとなる。
【符号の説明】
【００２２】
１    防潮板
１１  腕部
１２  回転軸
２    フロート
３    第１の凹部
４    錘
５    第２の凹部
５１  段差面
６    踏板
Ａ    浸水
【図１】
2011122375.tif 000003
【図２】
2011122375.tif 000004
【図３】
2011122375.tif 000005